(57)【要約】【課題】上部材及び下部材と、左縦部材及び右縦部材との位置決め部材に作用する負荷を低減し、締結による位置ずれを抑えかつ、組み立て易い建具等を提供する。【解決手段】障子は、パネル部材と、前記パネル部材の縁部が入り込む溝部を備え、前記パネル部材の左側に配置された左縦部材、右側に配置された右縦部材、上側に配置された上部材、及び、下側に配置された下部材と、前記上部材又は前記下部材と、前記左縦部材又は前記右縦部材との相対位置を決める位置決め部材であって、一端部が、前記上部材又は前記下部材に嵌合し、他端部が、前記左縦部材又は前記右縦部材に嵌合している複数の位置決め部材と、前記上部材又は前記下部材と、前記左縦部材又は前記右縦部材とを、前記位置決め部材に入り込むことなく締結する締結部材と、を有し、前記複数の位置決め部材のうちの少なくとも一つは、前記パネル部材を保持するためのパネル保持部を有する。【選択図】図３
2008280801.tif 000002
【特許請求の範囲】
【請求項１】
開口を形成する枠体と、前記開口に設けられ開閉自在な障子と、を備える建具であって、
前記障子は、
パネル部材と、
前記パネル部材の縁部が入り込む溝部を備え、前記パネル部材の左側に配置された左縦部材、前記パネル部材の右側に配置された右縦部材、前記パネル部材の上側に配置された上部材、及び、前記パネル部材の下側に配置された下部材と、
前記上部材又は前記下部材と、前記左縦部材又は前記右縦部材との相対位置を決める位置決め部材であって、一端部が、前記上部材又は前記下部材に嵌合しており、他端部が、前記左縦部材又は前記右縦部材に嵌合している複数の位置決め部材と、
前記位置決め部材によって位置決めされた、前記上部材又は前記下部材と、前記左縦部材又は前記右縦部材とを、前記位置決め部材に入り込むことなく締結する締結部材と、
を有し、
前記複数の位置決め部材のうちの少なくとも一つは、前記パネル部材を保持するためのパネル保持部を有することを特徴とする建具。
【請求項２】
請求項１に記載の建具において、
前記パネル部材は矩形状をなし、
前記パネル保持部を有する前記位置決め部材は、前記パネル部材の４つの角部のうちの対角に位置する２つの角部を保持することを特徴とする建具。
【請求項３】
請求項１または請求項２に記載の建具において、
前記位置決め部材は、前記他端部の前記左縦部材又は前記右縦部材に嵌合されている部位の上面に、前記左縦部材又は前記右縦部材の内方に向かって低くなる傾斜を有する傾斜部を備えていることを特徴とする建具。
【請求項４】
請求項１乃至請求項３のいずれかに記載の建具において、
前記位置決め部材の前記他端部は、前記左縦部材又は前記右縦部材に備えられた前記溝部に嵌合していることを特徴とする建具。
【請求項５】
請求項１乃至請求項４のいずれかに記載の建具において、
前記位置決め部材の前記一端部は、前記上部材又は前記下部材の長手方向端部に備えられた嵌合領域に嵌合しており、
前記嵌合領域は、前記溝部の上方側又は下方側に設けられていることを特徴とする建具。
【請求項６】
請求項１乃至請求項５のいずれかに記載の建具において、
前記下部材の両端には、左右一対の前記位置決め部材が設けられており、
前記下部材は、複数の部材を有して構成されており、
前記左右一対の位置決め部材の一端部が、前記複数の部材に嵌合することにより、前記複数の部材を有する前記下部材が前記一対の位置決め部材を介してユニット化されていることを特徴とする建具。
【請求項７】
請求項６に記載の建具において、
前記下部材の複数の部材は、前記一対の位置決め部材により上下方向に互いに間隔を隔てて位置決めされて、換気口を形成することを特徴とする建具。
【請求項８】
請求項１乃至請求項７のいずれかに記載の建具において、
前記建具は浴室の出入り口に設けられ、
前記パネル部材は、前記障子の厚さ方向において、浴室側に偏らせて配置されることを特徴とする建具。
【請求項９】
請求項１乃至請求項８のいずれかに記載の建具において、
前記パネル部材は、前記左縦部材、前記右縦部材、及び、前記下部材に備えられた前記溝部に塗布された接着剤にて固定され、前記上部材が有する前記溝部内には、弾性変形可能な弾性部材が設けられていることを特徴とする建具。
【請求項１０】
障子が有するパネル部材の上側に配置される上部材又は前記パネル部材の下側に配置される下部材と、前記パネル部材の左側に配置される左縦部材又は前記パネル部材の右側に配置される右縦部材とを締結するための締結部材が入り込まない位置に配置され、
一端部が、前記上部材又は前記下部材に嵌合し、他端部が、前記左縦部材又は前記右縦部材に嵌合することにより前記上部材又は前記下部材と前記左縦部材又は前記右縦部材とを位置決めし、
前記パネル部材を保持するためのパネル保持部を有することを特徴とする位置決め部材。
【発明の詳細な説明】
【技術分野】
【０００１】
本発明は、開口を構成する枠体と、前記開口に設けられ開閉自在な障子とを備える建具及び前記建具に用いられる位置決め部材に関する。
【背景技術】
【０００２】
従来から、建具のなかにはガラスなどのパネル部材を有する障子を備えるものがある。パネル部材を有する障子は、パネル部材の上下側に配置される上下の横框材（上部材、下部材）、左右側に配置される左右の縦框材（左縦部材、右縦部材）を有している。そして、左右に間隔を隔てて配置されている左右の縦框材間に、上下の横框材が介在され、上下の横框材の左右両端部が、左右の縦框材の側部に当接されるとともに、パネル部材の周縁部が上下の横框材及び左右の縦框材にそれぞれ設けられた溝部に入れ込まれている。このとき、上下の横框材及び左右の縦框材のパネル部材の厚さ方向における位置ずれを抑えるために、スペーサを上下の横框材の端部に、その一部が上下の横框材の端部から突出するように、上方、または、下方から直接ビス止めし、端部から突出したスペーサの部位を左右の縦框材に設けられた取り付け溝に挿入し、取り付け溝の底側となる側方から挿入したビスで左右の縦框材とスペーサとを連結することで、上下の横框材と左右の縦框材とを締結している（例えば、特許文献１参照）。また、上下の横框材及び左右の縦框材に設けられた溝部とパネル部材との間には、パネル部材を上下左右からそれぞれ保持するための４つのブロックが介在されている。
【特許文献１】実公昭５９−２１０１８０号公報
【発明の開示】
【発明が解決しようとする課題】
【０００３】
しかしながら、左右の縦框材と上下の横框材とを締結するビスには、タッピングビスを用いており、タッピングビスは下穴にねじ山を切りながら螺合されるため、ビスをねじ込むためには多大なトルクが必要である。このため、ビスを締め込む際には、スペーサ及び上下の横框材に回転トルクが作用し、上下の横框材と左右の縦框材との位置がずれてしまう畏れがある。また、上下の横框材にスペーサがビス止めされる際、上下の横框材と左右の縦框材とがビスで締結される際には、スペーサに圧縮方向の応力が作用し、スペーサを損傷する畏れがあるという課題があった。  
さらに、パネル部材を、上下の横框材及び左右の縦框材に設けられた溝部との間にブロックを介在させつつ取り付けるため、建具の組み立て作業が煩雑であるという課題がある。
【０００４】
本発明は、かかる課題に鑑みてなされたものであり、その目的とするところは、上部材及び下部材と、左縦部材及び右縦部材とを位置決めするための部材に作用する負荷を低減するとともに、上部材及び下部材と、左縦部材及び右縦部材との締結による位置ずれを抑えることができ、かつ、組み立て易い建具及びこの建具に用いられる位置決め部材を提供することにある。
【課題を解決するための手段】
【０００５】
かかる目的を達成するために本発明の建具は、開口を形成する枠体と、前記開口に設けられ開閉自在な障子と、を備える建具であって、前記障子は、パネル部材と、前記パネル部材の縁部が入り込む溝部を備え、前記パネル部材の左側に配置された左縦部材、前記パネル部材の右側に配置された右縦部材、前記パネル部材の上側に配置された上部材、及び、前記パネル部材の下側に配置された下部材と、前記上部材又は前記下部材と、前記左縦部材又は前記右縦部材との相対位置を決める位置決め部材であって、一端部が、前記上部材又は前記下部材に嵌合しており、他端部が、前記左縦部材又は前記右縦部材に嵌合している複数の位置決め部材と、前記位置決め部材によって位置決めされた、前記上部材又は前記下部材と、前記左縦部材又は前記右縦部材とを、前記位置決め部材に入り込むことなく締結する締結部材と、を有し、前記複数の位置決め部材のうちの少なくとも一つは、前記パネル部材を保持するためのパネル保持部を有することを特徴とする建具である。
【０００６】
このような建具によれば、位置決め部材の一端部が上部材又は下部材に嵌合され、他端部が左縦部材又は右縦部材に嵌合されて、上部材又は下部材と、左縦部材又は右縦部材との相対位置が決められており、上部材又は下部材と、左縦部材又は右縦部材とは、締結部材が、これらを位置決めしている位置決め部材に入り込むことなく締結されている。このため、締結部材により締結するための締結力が位置決め部材に直接作用しないので、位置決め部材に対する負荷を小さく抑えることが可能であり、位置決め部材が損傷されること、または、変形されることを防止することが可能である。また、位置決め部材に対する負荷を小さく抑えることにより、位置決めされた相対位置を高精度に維持させたまま、上部材又は下部材と、左縦部材又は右縦部材とを締結することが可能である。
【０００７】
また、位置決め部材がパネル部材を保持するための保持部を有しているので、上部材又は下部材と左縦部材又は右縦部材との相対位置を決めるために、一端部を上部材又は下部材に、また他端部を左縦部材又は右縦部材に嵌合させることにより、上部材、下部材、左縦部材、右縦部材側にパネルを保持するためのパネル保持部を設けることが可能である。このため、位置決め部材とは別にパネルを保持するための部材を設ける必要はないので、部品点数を削減するとともに組み立て工数を低減することができるため、組み立て易い建具を提供することが可能である。
【０００８】
かかる建具において、前記パネル部材は矩形状をなし、前記パネル保持部を有する前記位置決め部材は、前記パネル部材の４つの角部のうちの対角に位置する２つの角部を保持することが望ましい。  
このような建具によれば、パネル保持部を有する位置決め部材は、矩形状をなすパネル部材の４つの角部のうちの対角に位置する２つの角部を保持するので、上下方向及び左右方向に安定した状態でパネル部材を保持することが可能である。このとき、パネル保持部４つの角部をすべて保持していないので、パネル部材の伸縮等を許容すべく自由度を備えつつパネル部材を保持することが可能である。
【０００９】
かかる建具において、前記位置決め部材は、前記他端部の前記左縦部材又は前記右縦部材に嵌合されている部位の上面に、前記左縦部材又は前記右縦部材の内方に向かって低くなる傾斜を有する傾斜部を備えていることが望ましい。  
このような建具によれば、位置決め部材の左縦部材又は右縦部材に嵌合されている部位、すなわち、左縦部材又は右縦部材に入り込んでいる部位には、上面に左縦部材又は右縦部材の内方に向かって低くなる傾斜を有する傾斜部が備えられているので、位置決め部材の上方にて発生した水や浸入した水等を、傾斜部により左縦部材及び右縦部材の内方に導き、左縦部材及び右縦部材内を通して排出させることが可能である。
【００１０】
かかる建具において、前記位置決め部材の前記他端部は、前記左縦部材又は前記右縦部材に備えられた前記溝部に嵌合していることが望ましい。  
このような建具によれば、位置決め部材の他端部が左縦部材又は右縦部材の溝部に嵌合しているので、上部材又は下部材と、左縦部材又は右縦部材との相対位置を決めるために位置決め部材が嵌合される嵌合部を別途設ける必要がない。このため、簡単な構造にて上部材又は下部材と、左縦部材又は右縦部材とを位置決めすることが可能である。
【００１１】
かかる建具において、前記位置決め部材の前記一端部は、前記上部材又は前記下部材の長手方向端部に備えられた嵌合領域に嵌合しており、前記嵌合領域は、前記溝部の上方側又は下方側に設けられていることが望ましい。  
上部材又は下部材の溝部と、左縦部材又は右縦部材の溝部とには、単一のパネル材が入れ込まれる。すなわち、上部材又は下部材の上下方向（溝部の深さ方向）は、左縦部材又は右縦部材の長手方向に相当する。このため、位置決め部材の一端部が嵌合される嵌合領域が、溝部の上方側又は下方側に設けられている場合には、左縦部材又は右縦部材の溝部等と対向する位置に、嵌合領域が設けられることになる。従って、位置決め部材の一端部が嵌合される部位と、他端部が嵌合される部位とが対向しているので、位置決め部材を単純な形状の部材にて形成することが可能である。
【００１２】
かかる建具において、前記下部材の両端には、左右一対の前記位置決め部材が設けられており、前記下部材は、複数の部材を有して構成されており、前記左右一対の位置決め部材の一端部が、前記複数の部材に嵌合することにより、前記複数の部材を有する前記下部材が前記一対の位置決め部材を介してユニット化されていることが望ましい。  
このような建具によれば、下枠材を構成する複数の部材が左右一対の位置決め部材によってユニット化される。このため、位置決め部材が、複数の部材をユニット化するための部材も兼ねていることから、ユニット化するための部材を別途設ける必要がなく、もってコストを抑えるとともに組立性がよい建具を提供することが可能である。
【００１３】
かかる建具において、前記下部材の複数の部材は、前記一対の位置決め部材により上下方向に互いに間隔を隔てて位置決めされて、換気口を形成することが望ましい。  
このような建具によれば、下部材の複数の部材が位置決め部材により位置決めされた状態で上下方向に間隔を隔てて配置されるので、下部材の複数の部材によって換気口を形成することが可能である。また、下部材の複数の部材は、位置決め部材にて間隔が隔てられるので、下部材の複数の部材間に容易に間隙を形成して換気口を形成することが可能である。
【００１４】
かかる建具において、前記建具は浴室の出入り口に設けられ、前記パネル部材は、前記障子の厚さ方向において、浴室側に偏らせて配置されることが望ましい。  
このような建具によれば、パネル部材が、障子の厚さ方向において、浴室側に偏らせた位置に配置されるので、建具を建物に組み付けた際に浴室側に形成される桟の奥行きを小さくすることが可能である。このため、浴室にて使用された水等が障子にかけられたとしても桟に残存する水分を少なく抑えることが可能である。
【００１５】
かかる建具において、前記パネル部材は、前記左縦部材、前記右縦部材、及び、前記下部材に備えられた前記溝部に塗布された接着剤にて固定され、前記上部材が有する前記溝部内には、弾性変形可能な弾性部材が設けられていることが望ましい。  
このような建具によれば、パネル部材は、下部材、左縦部材、及び、右縦部材の溝部に塗布された接着剤にて固定されるので、接着剤が塗布されている溝部にパネル部材を入れ込むだけで、下部材、左縦部材、及び、右縦部材にパネル部材を固定するとともに、下部材、左縦部材、及び、右縦部材とパネル部材との境界部分を封止することが可能である。また、上部材とパネル部材との間には弾性部材が設けられているので、各部品の寸法のばらつきや、組立時の位置調整による変位や、使用時の変形や、温度の変化にともなう伸縮等を弾性部材に吸収させて、上部材、下部材、左縦部材、及び、右縦部材とパネル部材との間を水密に維持させることが可能である。
【００１６】
また、障子が有するパネル部材の上側に配置される上部材又は前記パネル部材の下側に配置される下部材と、前記パネル部材の左側に配置される左縦部材又は前記パネル部材の右側に配置される右縦部材とを締結するための締結部材が入り込まない位置に配置され、一端部が、前記上部材又は前記下部材に嵌合し、他端部が、前記左縦部材又は前記右縦部材に嵌合することにより前記上部材又は前記下部材と前記左縦部材又は前記右縦部材とを位置決めし、前記パネル部材を保持するためのパネル保持部を有することを特徴とする位置決め部材である。
【００１７】
このような位置決め部材によれば、一端部が上部材又は下部材に嵌合され、他端部が左縦部材又は右縦部材に嵌合されて、上部材又は下部材と、左縦部材又は右縦部材とが位置決めされ、上部材又は下部材と、左縦部材又は右縦部材とは、締結部材が入り込むことなく締結される。このため、締結部材により締結するための締結力が位置決め部材に直接作用しないので、上部材又は下部材と左縦部材又は右縦部材との締結による負荷は小さい。よって、上部材又は下部材と左縦部材又は右縦部材とを位置決めしつつも損傷、または、変形し難い位置決め部材を提供することが可能である。
【００１８】
また、位置決め部材がパネル部材を保持するための保持部を有しているので、位置決め部材とは別にパネルを保持するための部材を設ける必要はなく、建具の組立性を向上させることが可能である。
【発明の効果】
【００１９】
本発明の建具によれば、上部材及び下部材と、左縦部材及び右縦部材とを位置決めするための部材に作用する負荷を低減するとともに、上部材及び下部材と、左縦部材及び右縦部材との締結による位置ずれを抑えることができ、かつ、組み立て易い建具及びこの建具に用いられる位置決め部材を提供することが可能である。
【発明を実施するための最良の形態】
【００２０】
以下、本発明の一実施形態に係る建具について図面を参照して説明する。ここでは、本実施形態の建具が、浴室の出入口として浴室と脱衣室との間に設けられている例について説明する。
【００２１】
図１に示すように、建具１は、浴室と脱衣室との間に取り付けられる枠体１０と、当該枠体１０にて形成される開口に設けられ開閉自在な障子としての浴室ドア２０とを備えている。  
以下の説明では、建具１を浴室内側から見たときに上下となる方向を上下方向、左右となる方向を左右方向または見付け方向、室内外方向を障子の厚さ方向または見込み方向として示す。
【００２２】
枠体１０は、上枠１１と、下枠１２と、左右の縦枠１３とを枠組みして形成されている。上枠１１、下枠１２、及び、左右の縦枠１３は、アルミニウム製で押出加工により形成されており、それぞれ浴室の出入口の壁端部、防水パン、脱衣室の床などにねじ止めされている。
【００２３】
本実施形態の浴室ドア２０は、透光性を有し板状をなす樹脂製又はガラス製のパネル部材としての面材２１と、当該面材２１の左側に配置される左縦部材としての左縦框２２と、面材２１の右側に配置される右縦部材としての右縦框２３と、面材２１の上側に配置される上部材としての上框２４と、面材２１の下側に配置される下部材としての換気口ユニット２５とを有している。そして、浴室ドア２０と枠体１０との間には、浴室側から脱衣室側への水などの進入を防止するために、ゴム製のシール材５８（図２）が設けられている。図中、浴室ドア２０は、右縦框２３側のＥ部にて軸支されているので、右縦框２３が吊元框であり、左縦框２２が戸先框である。
【００２４】
左縦框２２、右縦框２３、及び、上框２４は、いずれもアルミニウム製で押出加工により形成された中空棒状の部材である。また、換気口ユニット２５は、上下方向に互いに間隔を隔てて配置される２つの部品を有しており、これら２つの部品はいずれもアルミニウム製で押出加工により形成されている。
【００２５】
浴室ドア２０を構成するに際して、左右に間隔を隔てて配置された左縦框２２と右縦框２３との対向する内面部２２ｂ、２３ｂに、上框２４と換気口ユニット２５の左右の両端部が当接されて固定される。このとき、上框２４及び換気口ユニット２５と、左縦框２２及び右縦框２３との、浴室ドア２０の厚さ方向（見込み方向）の相対位置を決めるための位置決め部材３０が、換気口ユニット２５の中桟２６、下框２７、及び上框２４と、左縦框２２、及び、右縦框２３との間に跨って嵌め込まれる。ここで、上框２４と左縦框２２との相対位置を決める位置決め部材３０を上側左位置決め部材３１、上框２４と右縦框２３との相対位置を決める位置決め部材３０を上側右位置決め部材３３、換気口ユニット２５と左縦框２２との相対位置を決める位置決め部材３０を下側左位置決め部材３４、換気口ユニット２５と右縦框２３との相対位置を決める位置決め部材３０を下側右位置決め部材３５とする。上側左位置決め部材３１、上側右位置決め部材３３、下側左位置決め部材３４、下側右位置決め部材３５については後述する。
【００２６】
換気口ユニット２５は、上下方向に互いに間隔を隔てて配置され、面材２１の直下に配置された中桟２６と、浴室ドア２０の下端に配置された下框２７と、を有しており、中桟２６と下框２７とは、いずれもアルミニウム製で押出加工により形成されている。そして、中桟２６の長手方向の両端に、対をなす左右一対の位置決め部材としての下側左位置決め部材３４及び下側右位置決め部材３５が設けられており、下側左位置決め部材３４及び下側右位置決め部材３５における、互いに対向する側に突出された部位が、下框２７に、それぞれ嵌合されることにより、中桟２６と下框２７とが、下側左位置決め部材３４及び下側右位置決め部材３５を介してユニット化されている。ユニット化された換気口ユニット２５には、中桟２６と下框２７との間に、着脱自在にガラリ２８が取り付けられる。
【００２７】
面材２１の四方を囲む左縦框２２、右縦框２３、上框２４、及び、中桟２６には、いずれも、面材２１の縁部が入り込む凹形状の溝部２２ａ、２３ａ、２４ａ、２６ａが各部材の長手方向に沿って設けられている。ここで、溝部２２ａ、２３ａ、２４ａ、２６ａを有する左縦框２２、右縦框２３、上框２４、及び、中桟２６は、いずれもアルミの押出材成形材であるため、長手方向と直交する各断面の形状は各々の部材において単一である。このため、左縦框２２、右縦框２３、上框２４、及び、中桟２６に形成されている溝部２２ａ、２３ａ、２４ａ、２６ａは、いずれも長手方向の全域に亘って形成されており、面材２１が入り込むようになっている。また、図２〜図５に示すように左縦框２２、右縦框２３、上框２４、及び、中桟２６の溝部２２ａ、２３ａ、２４ａ、２６ａには、脱衣室側の壁部２２ｇ、２３ｇ、２４ｃ、２６ｆに塗布された接着剤５６により、面材２１が固定されるとともに面材２１と左縦框２２、右縦框２３、上框２４、及び、中桟２６との間を封止している。
【００２８】
図６に示すように、左縦框２２の溝部２２ａには、面材２１の左縁部２１ｃが入れ込まれるとともに上側左位置決め部材３１が嵌合され、右縦框２３の溝部２３ａには、面材２１の右縁部２１ｄが入れ込まれるとともに上側右位置決め部材３３が嵌合されている。また、上框２４の溝部２４ａのほぼ全域には、弾性変形可能な弾性部材としてのスポンジ５４が設けられている。
【００２９】
図７に示すように、溝部２２ａ、２３ａ、２４ａ、２６ａは、面材２１の厚さより僅かに広い幅を有しており、面材２１の上下に配置される上框２４、及び、中桟２６に、互いの溝部２４ａ、２６ａの開放された側が対向するように、また、面材２１の左右に配置される左縦框２２、及び、右縦框２３に、互いの溝部２２ａ、２３ａの開放された側が対向するように、それぞれ形成されている。ここで図７においては、説明の便宜上縦框２２、２３を省略して示している。溝部２２ａ、２３ａ、２４ａ、２６ａは、浴室ドア２０の厚さ方向（以下、見込み方向という）において、建具が据え付けられた際に浴室側に位置するように偏らせて配置されている。以下、面材２１が偏らせて設けられている側を浴室側、反対側を脱衣室側という。このため、面材２１が嵌め込まれた際に浴室側に形成される桟の奥行き（見込み方向の長さ）は、左縦框２２、右縦框２３、上框２４、及び、中桟２６の肉厚にほぼ等しくなる。
【００３０】
上框２４には、上下方向（溝部２４ａの深さ方向）において当該溝部２４ａの上方側に、上側左位置決め部材３１及び上側右位置決め部材３３が嵌合される嵌合領域２４ｂが設けられている。上框２４の嵌合領域２４ｂは、上框２４の下部に形成されている溝部２４ａの脱衣室側の壁部２４ｃより僅かに浴室側にて上下方向上方側に突出された突出部２４ｄと、上框２４内に上框２４の下面部２４ｅと対向する中央面２４ｆから、前記突出部２４ｄと対向する位置に下方に向かって突出された突出壁２４ｇとで仮想的に区画される矩形状の領域である。上側左位置決め部材３１及び上側右位置決め部材３３は、嵌合領域２４ｂに嵌合されると、上框２４の浴室側の壁部２４ｊと突出部２４ｄ及び突出壁２４ｇとに挟まれて嵌め込まれる。このとき、上側左位置決め部材３１は、左縦框２２に設けられた溝部２２ａの深さより僅かに短い長さだけ上框２４の端部２４ｈ（図３）から突出され、上側右位置決め部材３３は、右縦框２３に設けられた溝部２３ａの深さより僅かに短い長さだけ上框２４の端部２４ｈ（図３）から突出される。また、上框２４には、断面のほぼ中央に、締結部材としてのねじ８０の締結穴２４ｉが設けられている。すなわち、上框２４に設けられた締結穴２４ｉは、浴室側に偏らせて配置された溝部２４ａの上方側（奥側）に位置する嵌合領域２４ｂとは、浴室ドア２０の厚さ方向（図７参照）において異なる位置に設けられている。
【００３１】
中桟２６は、筒状に形成された筒部２６ｂを有し、浴室ドア２０が組み立てられた際に、上側に位置する上面部２６ｃの最も浴室側に、上方に開放された溝部２６ａが形成されている。溝部２６ａを形成している筒部２６ｂの浴室側の壁部２６ｄが下方に延出されている。筒部２６ｂ内には、上下方向（溝部２６ａの深さ方向）において当該溝部２６ａの下方側（奥側）に、下側左位置決め部材３４及び下側右位置決め部材３５の中桟嵌合部位３４ａ、３５ａ（図９）が嵌合される嵌合領域２６ｅが設けられている。中桟２６の嵌合領域２６ｅは、中桟２６の上部に形成されている溝部２６ａより僅かに浴室側にて上下方向下方側に突出された突出部２６ｇと、中桟２６内に上面部２６ｃと対向する下面部２６ｉから、前記延出壁２６ｇと対向する位置に突出させた突出壁２６ｈとで仮想的に区画される矩形状の領域である。また、筒部２６ｂ内には、上面部２６ｃの内側に中桟２６の厚さ方向のほぼ中央に位置させて締結部材としてのねじ８０の締結穴２６ｊが設けられている。すなわち、中桟２６に設けられた締結穴２６ｊは、浴室側に偏らせて配置された溝部２６ａの下方側（深さ方向奥側）に位置する嵌合領域２６ｅとは、浴室ドア２０の厚さ方向において異なる位置に設けられている。
【００３２】
下框２７は、断面がほぼ矩形の筒状に形成された筒部２７ａを有し、浴室ドア２０が組み立てられた際に、上側に位置する上面部２７ｂは浴室側が脱衣室側より低くなるように傾斜が付けられている。筒部２７ａの脱衣室側の壁部２７ｃは上方に延出されている。筒部２７ａ内には、下側左位置決め部材３４及び下側右位置決め部材３５の下框嵌合部位３４ｃ、３５ｃ（図５、図９）が嵌合される嵌合領域２７ｄが設けられている。下框２７の嵌合領域２７ｄは、下框２７の浴室側の壁部２７ｅと、左縦框２２及び右縦框２３が有する溝部２２ａ、２３ａと同程度の間隔を隔てて、上面部２７ｂから垂下された垂下壁２７ｆと、筒部２７ａの下面部２７ｇが下框２７の浴室側の壁部２７ｅから溝部２２ａ、２３ａと同程度の間隔を隔てた位置にて上下方向上方側に立ち上がった曲起部２７ｈとで仮想的に区画される矩形状の領域である。また、筒部２７ａ内には、下框２７の中央付近で曲起部２７ｈの上端から壁部２７ｃにわたって水平面部２７ｉが形成されており、この水平面部２７ｉの曲起部２７ｈ上端側（浴室側）に、ねじ８０の締結穴２７ｊが設けられている。すなわち、下框２７に設けられた締結穴２７ｊは、浴室側に偏らせて配置された嵌合領域２７ｄとは、浴室ドア２０の厚さ方向において異なる位置に設けられている。ここで、上框２４、中桟２６、下框２７は、締結穴２４ｉ、２６ｊ、２７ｊの断面形状は閉じた円形ではなく、円形の一部が切り欠かれたような形状に形成されている。
【００３３】
ガラリ２８は、中桟２６と下框２７との間に配置される板材であり、下框２７の脱衣室側の壁部２７ｃとほぼ同一平面上に配置される上壁部２８ａと、中桟２６の浴室側の壁部２６ｄとほぼ同一平面上に配置される下壁部２８ｂとが、上下方向の中央にて連結部２８ｃで連結されている。連結部２８ｃは、浴室側が脱衣室側より低くなるように傾斜が付けられている。そして、ガラリ２８は、上壁部２８ａの上端部２８ｄ及び下壁部２８ｂと連結部２８ｃの境界部２８ｅが中桟２６と間隔を隔てて配置され、下壁部２８ｂの下端部２８ｆ及び上壁部２８ａと連結部２８ｃの境界部２８ｇが下框２７と間隔を隔てて配置される。すなわち、ガラリ２８は、中桟２６と下框２７との間の空間をガラリ２８の上下にて区画して、２つの換気口５５を形成するとともに、浴室から脱衣室側への水等の進入を防止する水返しとしても機能する。
【００３４】
本実施形態のガラリ２８は、換気口ユニット２５に着脱自在に設けられる。このため、上壁部２８ａの浴室側面と、下壁部２８ｂの脱衣室側面とにそれぞれ、下側左位置決め部材３４及び下側右位置決め部材３５の取付部３５ｆ（図９）に係合する係合片２８ｈが設けられている。
【００３５】
図８に示すように、上側左位置決め部材３１と上側右位置決め部材３３とは、上側左位置決め部材３１がパネル保持部としての面材保持部３２を有する点で相違するが、それ以外の部位は左右が逆となる対称な形状をなしている。
【００３６】
上側左位置決め部材３１及び上側右位置決め部材３３は、薄形のほぼ直方体状に形成され樹脂製の部材である。上側左位置決め部材３１及び上側右位置決め部材３３は、上框２４に嵌合される嵌合方向における、およそ２／３の部位が上框２４の嵌合領域２４ｂに嵌合される一端部としての上框嵌合部位３１ａ、３３ａであり、残りのおよそ１／３の部位が左縦框２２及または右縦框２３の溝部２２ａ、２３ａに嵌合される他端部としての縦框嵌合部位３１ｂ、３３ｂである。縦框嵌合部位３１ｂ、３３ｂの上下方向の長さが上框嵌合部位３１ａ、３３ａの上下方向の長さより長くなるように、縦框嵌合部位３１ｂ、３３ｂは上框嵌合部位３１ａ、３３ａより上下に突出されている。すなわち、縦框嵌合部位３１ｂ、３３ｂと上框嵌合部位３１ａ、３３ａとの境界部分には、上下にそれぞれ段部３１ｃ、３３ｃが設けられており、その段差は、上框２４の肉厚とほぼ等しく形成されている。
【００３７】
また、上側左位置決め部材３１及び上側右位置決め部材３３の浴室側面と脱衣室側面との距離、すなわち上側左位置決め部材３１及び上側右位置決め部材３３の厚さはほぼ全域に亘って、左縦框２２及び右縦框２３の溝部２２ａ、２３ａの幅とほぼ等しく形成されている。上側左位置決め部材３１及び上側右位置決め部材３３には、上下方向のほぼ中央に、上框２４の長手方向に沿うように細長い凸部３１ｄ、３３ｄが設けられている。この凸部３１ｄ、３３ｄは、上側左位置決め部材３１及び上側右位置決め部材３３が上框２４に嵌合されるときの先端側から中央側に向かって緩やかな傾斜を有し、上側左位置決め部材３１及び上側右位置決め部材３３が上框２４に嵌合されるに連れて、上側左位置決め部材３１及び上側右位置決め部材３３が保持される保持力が高まるように形成されている。すなわち、上側左位置決め部材３１及び上側右位置決め部材３３は、上框２４の嵌合領域２４ｂに挿入されていくと、徐々に強く嵌合され、上下の段部３１ｃ、３３ｃが上框２４の端部２４ｈに当接される。このとき、上側左位置決め部材３１及び上側右位置決め部材３３の縦框嵌合部位３１ｂ、３３ｂは、上框２４の端部２４ｈから突出されており、その突出長さは、縦框２２、２３が有する溝部２２ａ、２３ａの深さより僅かに短く形成されている。
【００３８】
また、上側左位置決め部材３１及び上側右位置決め部材３３の上框２４に嵌合している上框嵌合部位３１ａ、３３ａの嵌合方向における先端部と左右の縦框２２、２３に嵌合している縦框嵌合部位３１ｂ、３３ｂの嵌合方向における先端部とに、先端側の外形が中央側の外形より小さくなるような傾斜がそれぞれ設けられており、上側左位置決め部材３１及び上側右位置決め部材３３が上框２４に嵌合し易く構成されている。また、縦框嵌合部位３１ｂ、３３ｂの上面には、他の先端部の傾斜より傾斜角度が大きな傾斜部３１ｅ、３３ｅが形成されており、縦框嵌合部位３１ｂ、３３ｂの上方にて左縦框２２及または右縦框２３の溝部２２ａ、２３ａに発生した水分または浸入した水等を下方に導くように構成されている。
【００３９】
上側左位置決め部材３１には、縦框嵌合部位３１ｂの下部に突出させて面材保持部３２が設けられている。面材保持部３２は、上側左位置決め部材３１の下部に設けられており、上框嵌合部位３１ａが上框２４に嵌合された際に、上框２４の下面部２４ｅから上方に凹設された溝部２４ａの底部２４ｋの下側にて溝部２４ａに沿って、底部２４ｋを上框嵌合部位３１ａとともに挟むように設けられて、面材２１の上端２１ａを保持する上端保持部３２ａと、縦框嵌合部位３１ｂから下方に延出されて上端保持部３２ａとほぼ直交して面材２１の左側端２１ｃを保持する左側端保持部３２ｂとを有している。上端保持部３２ａと左側端保持部３２ｂとは、いずれも上框嵌合部位３１ａ及び縦框嵌合部位３１ｂの厚みより薄く形成されており、上端保持部３２ａは上框２４の溝部２４ａ内にて、左側端保持部３２ｂは左縦框２２の溝部２２ａ内に収容される。そして、上框２４の溝部２４ａ内に挿入された面材２１の左側上端部が上端保持部３２ａの下面３２ｃに当接され、左縦框２２の溝部２２ａに挿入された面材２１の上側左端部が左側端保持部３２ｂの右面３２ｄに当接されて、面材２１の左上の角部が保持される。
【００４０】
下側左位置決め部材３４と下側右位置決め部材３５とは、下側右位置決め部材３５がパネル保持部としての面材保持部３６を有する点で相違するが、それ以外の部位は左右が逆となる対称な形状をなしている。このため、ここでは下側右位置決め部材３５について主に説明し、下側左位置決め部材３４に対応する符号を一部省略する。
【００４１】
下側左位置決め部材３４及び下側右位置決め部材３５は、換気口ユニット２５の高さとほぼ等しく、浴室ドア２０の厚さ方向における換気口ユニット２５を構成する中桟２６及び下框２７の内幅とほぼ同じ幅を有するほぼ板状をなす樹脂製の部材である。下側左位置決め部材３４及び下側右位置決め部材３５は、換気口ユニット２５の左右に配置される部材である。
【００４２】
下側左位置決め部材３４及び下側右位置決め部材３５には、中桟２６の下面部２６ｉと下框２７の上面部２７ｂとの間に入り込む本体部分３４ｄ、３５ｄと、本体部分３４ｄ、３５ｄの、縦框２２、２３と対向する面３４ｅ、３５ｅから突出されて、当該縦框２２、２３の溝部２２ａ、２３ａに嵌合される他端部としての縦框嵌合部位３４ｂ、３５ｂが設けられている。縦框嵌合部位３４ｂ、３５ｂは本体部分３４ｄ、３５ｄより、上方及び下方に延出されており、延出された部位には、中桟２６及び下框２７の長手方向に沿って一端部としての中桟嵌合部位３４ａ、３５ａ及び下框嵌合部位３４ｃ、３５ｃが形成されている。すなわち、下側左位置決め部材３４及び下側右位置決め部材３５は、本体部分３４ｄ、３５ｄの上下に、上側左位置決め部材３１及び上側右位置決め部材３３とほぼ同機能を有する部位が、本体部分３４ｄ、３５ｄと交差する方向が嵌合方向となるように設けられている。そして、下側左位置決め部材３４及び下側右位置決め部材３５は、左右に間隔を隔てて配置された際に、互いに対向する対向面３４ｈ、３５ｈから突出される中桟嵌合部位３４ａ、３５ａ及び下框嵌合部位３４ｃ、３５ｃを有し、下側左位置決め部材３４及び下側右位置決め部材３５の前記対向面の裏面には、見込み方向において中桟嵌合部位３４ａ、３５ａ及び下框嵌合部位３４ｃ、３５ｃと同じ位置に、左縦框２２と右縦框２３に設けられた溝部２２ａ、２３ａに嵌合される縦框嵌合部位３４ｂ、３５ｂを有している。また、ガラリ２８は、ユニット化された換気口ユニット２５に着脱されるので、下側左位置決め部材３４及び下側右位置決め部材３５の互いに対向する対向面３４ｈ、３５ｈ側には、ガラリ２８を中桟２６と下框２７との間に入り込ませて取り付けるための凹部３５ｇと、ガラリ２８に設けられた係合片２８ｈと係合してガラリ２８を支持するための取付部３５ｆが設けられている。
【００４３】
下側右位置決め部材３５には、縦框嵌合部位３５ｂの上部に突出させて面材保持部３６が設けられている。面材保持部３６は、下側右位置決め部材３５の上部に設けられており、中桟嵌合部位３５ａが中桟２６に嵌合された際に、中桟２６の上面部２６ｃから下方に凹設された溝部２６ａの底部２６ｍの上側にて溝部２６ａに沿って、底部２６ｍを中桟嵌合部位３５ａとともに挟むように設けられて、面材２１の下端２１ｂを保持する下端保持部３６ａと、縦框嵌合部位３１ｂから上方に延出されて下端保持部３６ａとほぼ直交して面材２１の右側端２１ｄを保持する右側端保持部３６ｂとを有している。下端保持部３６ａと右側端保持部３６ｂとは、いずれも中桟嵌合部位３５ａ及び縦框嵌合部位３５ｂの厚みより薄く形成されており、下端保持部３６ａは中桟２６の溝部２６ａ内にて、右側端保持部３６ｂは右縦框２３の溝部２３ａ内に収容される。そして、中桟２６の溝部２６ａ内に挿入された面材２１の右側下端部が下端保持部３６ａの上面３６ｃに当接され、右縦框２３の溝部２３ａに挿入された面材２１の下側右端部が右側端保持部３６ｂの左面３６ｄに当接されて、面材２１の左上の角部が保持される。
【００４４】
そして、中桟嵌合部位３４ａ、３５ａが中桟２６の嵌合領域２６ｅに嵌合され、下框嵌合部位３４ｃ、３５ｃが下框２７の嵌合領域２７ｄに嵌合されて、中桟２６と下框２７とが位置決めされ、中桟２６と下框２７とに設けられた締結穴２６ｊ、２７ｊに、ねじ８０が螺合されて換気口ユニット２５が形成される。
【００４５】
本実施形態の浴室ドア２０は、以下の手順（図１０Ａ〜図１０Ｅ）にて組み立てられる。  
まず、上框２４の左右両端部の嵌合領域２４ｂに上側左位置決め部材３１及び上側右位置決め部材３３を嵌合する。このとき、嵌合領域２４ｂに上框嵌合部位３１ａ、３３ａが嵌合されて上側左位置決め部材３１及び上側右位置決め部材３３の段部３１ｃ、３３ｃが上框２４の端部２４ｈに当接され、上框２４の端部２４ｈより外側に、縦框嵌合部位３１ｂ、３３ｂと面材保持部３２とが突出している。
【００４６】
また、中桟２６と下框２７とをほぼ平行に配置し、中桟２６と下框２７の左右の端部側から下側左位置決め部材３４及び下側右位置決め部材３５を当接させ、中桟２６の嵌合領域２６ｅに中桟嵌合部位３４ａ、３５ａを嵌合させ、下框２７の嵌合領域２７ｄに下框嵌合部位３４ｃ、３５ｃを嵌合させる。このとき、下側左位置決め部材３４及び下側右位置決め部材３５により中桟２６と下框２７とが位置決めされて換気口ユニット２５が形成される。また、このとき中桟２６と下框２７の端部より外側に、縦框嵌合部位３４ｂ、３５ｂと面材保持部３６とが突出している。換気口ユニット２５をユニット化する際には、下框２７の下端部に浴室側から脱衣室側への水などの進入を防止するために、ゴム製のシール材５８を予め取り付けておくことが望ましい。
【００４７】
次に、上側左位置決め部材３１及び上側右位置決め部材３３が嵌合された上框２４の溝部２４ａを形成する脱衣室側の壁部２４ｃに接着剤５６を塗布し、ほぼ全域にスポンジ５４を配設する。また、換気口ユニット２５の中桟２６の溝部２６ａの脱衣室側の壁部２６ｆに接着剤５６を塗布する。このとき、上框２４の下面部２４ｅ及び中桟２６の上面部２６ｃは、溝部２４ａ、２６ａの内側、すなわち浴室側に延出された延出部２４ｏ、２６ｏを有しているので、接着剤５６は粘性が高いものが用いられ、上框２４の延出部２４ｏ及び中桟２６の延出部２６ｏの端より浴室側に盛り上がるように塗布される。
【００４８】
その後、面材２１の上部側に位置する上縁部２１ａを上框２４の溝部２４ａに、面材２１の下部側に位置する下縁部２１ｂを中桟２６の溝部２６ａに入れ込む。このとき、上框２４の溝部２４ａ内に挿入された面材２１の左側上端部が上端保持部３２ａの下面３２ｃに、上側左端部が左側端保持部３２ｂの右面３２ｄにそれぞれ当接され、また、中桟２６の溝部２６ａ内に挿入された面材２１の右側下端部が下端保持部３６ａの上面３６ｃに、下側右端部が右側端保持部３６ｂの左面３６ｄに当接され、面材２１は上下方向及び左右方向にも位置決めされて保持される。
【００４９】
次に、左縦框２２と右縦框２３との溝部２２ａ、２３ａを形成する脱衣室側の壁部２２ｇ、２３ｇに接着剤５６を塗布する。このとき、左縦框２２の内面部２２ｂ及び右縦框２３の内面部２３ｂは、溝部２２ａ、２３ａの内側、すなわち浴室側に延出された延出部２２ｈ、２３ｈを有しているので、接着剤５６は粘性が高いものが用いられ、延出部２２ｈ、２３ｈの端より浴室側に盛り上がるように塗布される。
【００５０】
そして、上框２４と換気口ユニット２５との間に面材２１が挟み込まれたユニットの左右側から、左縦框２２と右縦框２３とを当接させる。このとき、上側左位置決め部材３１及び上側右位置決め部材３３の縦框嵌合部位３１ｂ、３３ｂ及び下側左位置決め部材３４及び下側右位置決め部材３５の縦框嵌合部位３４ｂ、３５ｂと面材２１の左縁部２１ｃ及び右縁部２１ｄを、それぞれ左縦框２２と右縦框２３との溝部２２ａ、２３ａ嵌め込む。
【００５１】
このようにして、左縦框２２又は右縦框２３と上框２４又は換気口ユニット２５との相対位置が決められると、左縦框２２及び右縦框２３の外側壁２２ｃ、２３ｃに設けられた挿入穴２２ｆ、２３ｆからドライバーを挿入させて内側壁２２ｄ、２３ｄに設けられた止め穴２２ｅ、２３ｅを貫通させたねじ８０を、上框２４，中桟２６、下框２７にそれぞれ設けられた締結穴２４ｉ、締結穴２６ｊ、締結穴２７ｊに螺合して左縦框２２又は右縦框２３と上框２４又は換気口ユニット２５とを締結する。このとき、上框２４に設けられた締結穴２４ｉと嵌合領域２４ｂ、中桟２６に設けられた締結穴２６ｊと嵌合領域２６ｅ、下框２７に設けられた締結穴２７ｊと嵌合領域２７ｄとは、それぞれ見込み方向において異なる位置に設けられている。このため、嵌合領域２４ｂ、２６ｅ、２７ｄに嵌合される位置決め部材３０にねじ８０が入り込むことなく、左縦框２２又は右縦框２３と上框２４又は換気口ユニット２５とを締結することが可能である。  
最後に、換気口ユニット２５にガラリ２８を取り付けて浴室ドア２０が完成する。
【００５２】
本実施形態の建具１によれば、上框２４、中桟２６、下框２７と、左縦框２２又は右縦框２３とをねじ止めするために、ねじを締め込んでも、上側左位置決め部材３１、上側右位置決め部材３３、下側左位置決め部材３４、下側右位置決め部材３５にねじ締めのトルクが直接作用しないため、上側左位置決め部材３１、上側右位置決め部材３３、下側左位置決め部材３４、下側右位置決め部材３５に対する負荷を小さく抑えることが可能である。また、上側左位置決め部材３１、上側右位置決め部材３３は、ねじ止め位置と離れた位置にて、上框嵌合部位３１ａ、３３ａが上框２４の嵌合領域２４ｂに嵌合され、下側左位置決め部材３４、下側右位置決め部材３５は、中桟嵌合部位３４ａ、３５ａが中桟２６の嵌合領域２６ｅに嵌合され、下框嵌合部位３４ｃ、３５ｃが下框２７の嵌合領域２７ｄに嵌合されているので、ねじを締めた際に回転トルクが作用しても、上側左位置決め部材３１、上側右位置決め部材３３、下側左位置決め部材３４、下側右位置決め部材３５はいずれもねじ８０とともに回転することなく、上框２４、中桟２６、下框２７の回り止めとして機能する。このため、上框２４、中桟２６、下框２７と、左縦框２２及び右縦框２３との相対位置のずれを防止して、位置決めされた状態を保ったまま浴室ドア２０を完成させることが可能である。このとき、溝部２２ａ、２３ａ、２４ａ、２６ａには、面材２１も入り込んでいるので、上側左位置決め部材３１、上側右位置決め部材３３、下側左位置決め部材３４、下側右位置決め部材３５とともに、面材２１も回り止めとして作用し、より確実に位置決めされた状態を維持させることが可能である。
【００５３】
また、上側左位置決め部材３１及び下側右位置決め部材３５が面材２１を保持するための面材保持部３２、３６を有しているので、上框２４、中桟２６、下框２７と左縦框２２又は右縦框２３との相対位置を決めるために、上框嵌合部位３１ａ、３３ａを上框２４に、中桟嵌合部位３４ａ、３５ａを中桟２６に、また縦框嵌合部位３１ｂ、３３ｂ、３４ｂ、３５ｂを左縦框２２又は右縦框２３に嵌合させることにより、上框２４、中桟２６、左縦框２２、右縦框２３側に面材２１を保持するための面材保持部３２、３６を設けることが可能である。このため、上側左位置決め部材３１、上側右位置決め部材３３、下側左位置決め部材３４、下側右位置決め部材３５とは別に面材２１を保持するための部材を設ける必要はないので、部品点数を削減するとともに組み立て工数を低減することができるため、組み立て易い建具１を提供することが可能である。
【００５４】
また、面材保持部３２、３６を有する位置決め部材３０は、矩形状をなす面材２１の４つの角部のうちの対角に位置する２つの角部を保持すべく上側左位置決め部材３１と下側右位置決め部材３５とに設けられて、面材２１の上縁部２１ａ、下縁部２１ｂ、左縁部２１ｃ、右縁部２１ｄに当接されているので、上下方向及び左右方向に安定した状態で面材２１を保持することが可能である。このとき、面材保持部３２、３６が４つの角部すべてを保持しないので、例えば樹脂製の面材の温度変化による伸縮等を許容すべく自由度を備えて面材２１を保持することも可能である。
【００５５】
さらに、上側左位置決め部材３１及び上側右位置決め部材３３の左縦框２２又は右縦框２３に嵌合されている部位、すなわち、左縦框２２又は右縦框２３に入り込んでいる縦框嵌合部位３１ｂ、３３ｂには、上面に左縦框２２又は右縦框２３の内方に向かって低くなる傾斜を有する傾斜部３１ｅ、３３ｅが備えられているので、上側左位置決め部材３１及び上側右位置決め部材３３の上方にて発生した水分や浸入した水分を、傾斜部３１ｅ、３３ｅにより左縦框２２又は右縦框２３の内方に導き、左縦框２２又は右縦框２３内を通して排出させることが可能である。
【００５６】
また、上側左位置決め部材３１、上側右位置決め部材３３、下側左位置決め部材３４、下側右位置決め部材３５の縦框嵌合部位３１ｂ、３３ｂ、３４ｂ、３５ｂはいずれも左縦框２２の溝部２２ａ又は右縦框２３の溝部２３ａに嵌合しているので、上框２４、中桟２６、下框２７と、左縦框２２又は右縦框２３との相対位置を決めるために縦框嵌合部位３１ｂ、３３ｂ、３４ｂ、３５ｂが嵌合される嵌合部を別途設ける必要がない。このため、簡単な構造にて上框２４、中桟２６、下框２７と、左縦框２２又は右縦框２３とを位置決めすることが可能である。
【００５７】
また、上側左位置決め部材３１及び上側右位置決め部材３３が嵌合される上框２４の嵌合領域２４ｂは、上下方向（上框２４の溝部２４ａの深さ方向）において、溝部２４ａの上方側（奥側）に設けられている。中桟嵌合部位３４ａ、３５ａが嵌合される中桟２６の嵌合領域２６ｅは、上下方向（中桟２６の溝部２６ａの深さ方向）において、溝部２６ａの下方側（奥側）に設けられている。このため、上框嵌合部位３１ａ、３３ａと中桟嵌合部位３４ａ、３５ａとは、左縦框２２又は右縦框２３の溝部２２ａ、２３ａと対向する位置に設けられることになる。上框嵌合部位３１ａ、３３ａと中桟嵌合部位３４ａ、３５ａが嵌合される嵌合領域２４ｂ、２６ｅと、縦框嵌合部位３１ｂ、３３ｂが嵌合される溝部２２ａ、２３ａとが、対向するので、上側左位置決め部材３１、上側右位置決め部材３３、下側左位置決め部材３４、下側右位置決め部材３５を単純な形状の部材にて形成することが可能である。すなわち、上側左位置決め部材３１、上側右位置決め部材３３、下側左位置決め部材３４、下側右位置決め部材３５の形状が単純であるため、上側左位置決め部材３１、上側右位置決め部材３３、下側左位置決め部材３４、下側右位置決め部材３５を高精度に形成することが可能であり、もって、上框２４又は中桟２６と、左縦框２２又は右縦框２３とをより精度良く位置決めすることが可能である。
【００５８】
また、上框２４、中桟２６、下框２７に嵌合されている上側左位置決め部材３１、上側右位置決め部材３３、下側左位置決め部材３４、下側右位置決め部材３５の、端部から突出された縦框嵌合部位３１ｂ、３３ｂ、３４ｂ、３５ｂは、左縦框２２及び右縦框２３の溝部２２ａ、２３ａに嵌合されている。すなわち、上側左位置決め部材３１、上側右位置決め部材３３、下側左位置決め部材３４、下側右位置決め部材３５は、面材２１とともに、上框２４、中桟２６、下框２７と左縦框２２及び右縦框２３との間に跨るように配置される。また、上側左位置決め部材３１、上側右位置決め部材３３、下側左位置決め部材３４、下側右位置決め部材３５、及び、面材２１は、浴室ドア２０の厚さ方向における同じ位置にて、左右の縦框２２、２３の溝部２２ａ、２３ａに沿って直線状に配置される。このため、上側左位置決め部材３１、上側右位置決め部材３３、下側左位置決め部材３４、下側右位置決め部材３５、及び、面材２１が上下方向に隣接して、左右の縦框２２、２３と上框２４、中桟２６、下框２７との接合部分の隙間を塞ぐように存在するので、この接合部分からの水の浸入経路が遮られる。よって、浴室ドア２０内部への水の浸入が抑えられるとともに、浴室側から脱衣室側への水の浸入を防止することが可能である。
【００５９】
また、換気口ユニット２５が備える中桟２６と下框２７とが、下側左位置決め部材３４、下側右位置決め部材３５の中桟嵌合部位３４ａ、３５ａと下框嵌合部位３４ｃ、３５ｃとにより間隔を隔てて位置決めされて、ユニット化されているので、中桟２６と下框２７とが正確に配置され、外観がより美しい換気口を容易に形成することが可能である。
【００６０】
また、浴室ドア２０が備える面材２１が、浴室ドア２０の厚さ方向において、浴室側に最も偏らせた位置に配置させたので、建具１を組み付けた際に浴室側に形成される桟の奥行きを小さくすることが可能であり、浴室にて使用された水等が浴室ドア２０にかけられたとしても桟に残存する水分を抑えることが可能である。このため、特に浴室ドア２０として適した建具１を提供することが可能である。
【００６１】
また、面材２１は、左縦框２２、右縦框２３、上框２４、及び、中桟２６の溝部２２ａ、２３ａ、２４ａ、２６ａに塗布された接着剤５６にて固定されるので、接着剤５６が塗布された溝部２２ａ、２３ａ、２４ａ、２６ａに面材２１を入れ込むだけで、左縦框２２、右縦框２３、上框２４、及び、中桟２６に面材２１を固定するとともに、左縦框２２、右縦框２３、上框２４，及び、中桟２６と面材２１との境界部分を封止することが可能である。さらに、面材２１を固定するための接着剤５６は、溝部２２ａ、２３ａ、２４ａ、２６ａの脱衣室側の壁部２２ｇ、２３ｇ、２４ｃ、２６ｆに塗布され、面材２１の外縁部２１ａ、２１ｂ、２１ｃ、２１ｄと溝部２２ａ、２３ａ、２４ａ、２６ａの底部との間には、面材保持部３２、３６が存在する部位を除いて空隙が設けられているので、温度変化等による面材２１の伸縮を許容しつつ面材保持部３２、３６にて面材２１を保持することが可能である。
【００６２】
また、上框２４と面材２１との間にはスポンジ５４が設けられているので、組立時の位置調整による変位や、使用時の熱などによる変形等をスポンジ５４に吸収させて、上框２４、左縦框２２、右縦框２３、及び、中桟２６と面材２１との間を水密な状態に維持させることが可能である。
【００６３】
＝＝＝その他の実施形態＝＝＝
上記の実施形態は、建具の一例として浴室ドアについて記載しているが、この実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。特に、以下に述べる実施形態であっても、本発明に含まれるものである。
【００６４】
上記実施形態においては、面材保持部３２を上側左位置決め部材３１に、また、面材保持部３６を下側右位置決め部材３５に設けた例について説明したが、必ずしも上側左位置決め部材３１と下側右位置決め部材３５とに面材保持部が設けられていなくとも良い。例えば、面材保持部を上側左位置決め部材３１、上側右位置決め部材３３、下側左位置決め部材３４、下側右位置決め部材３５のいずれかに設け、左縦框２２、右縦框２３、上框２４、中桟２６の溝部２２ａ、２３ａ、２４ａ、２６ａと面材保持部とで挟持するように面材２１を保持しても良いが、上述したように面材保持部を面材２１の対角に位置する部位に２つ設けることにより、自由度を持たせつつ面材を安定させて保持させることが可能である。このため、上記実施形態では面材保持部３２、３６を上側左位置決め部材３１と下側右位置決め部材３５とに設けたが、上側右位置決め部材３３と下側左位置決め部材３４とに設けても良い。
【００６５】
上記実施形態においては、面材２１の下側に換気口ユニット２５が配置される例について示したが、面材２１の下側に直接下框が設けられていてもよい。この場合には、下框が、パネル部材の下側に配置された下部材を構成する。また、面材２１の上側に換気口ユニット２５が設けられていてもよい。
【００６６】
また、図１１に示すように上框６０の上下方向の高さが高い場合には、上框６０の上側と下側とに上框嵌合部位６２ａと嵌合するための嵌合領域６０ａを設けるとともに、上框６０と嵌合される位置決め部材６２を上下方向に長い形態として上框嵌合部位６２ａを上下に２箇所設けても良い。この場合にも、左右の位置決め部材６２のうちの一方に面材保持部３２を備えることが望ましい。このように、位置決め部材６２を上下方向に長い形態として上框６０と上下２箇所の嵌合領域６０ａにて位置決め部材６２を嵌合させることにより、面材をより安定させて保持することが可能である。
【００６７】
また、上記実施形態においては、位置決め部材３０の縦框嵌合部位３１ｂ、３３ｂ、３４ｂ、３５ｂが、左縦框２２及び右縦框２３の溝部２２ａ、２３ａに嵌合する例について説明したが、これに限らず、縦框嵌合部位３１ｂ、３３ｂ、３４ｂ、３５ｂが嵌合する部位を左縦框２２及び右縦框２３に別途設けてもよい。
【００６８】
また、上記実施形態においては、ガラリ２８を換気口ユニット２５に対して着脱自在に設けた例を示したが、中桟２６及び下框２７とともにガラリ２８も左右一対の位置決め部材にて位置決めして換気口ユニット２５に対して着脱不能にユニット化してもよい。
【００６９】
上記実施形態においては、上框２４の溝部２４ａにスポンジ５４を配設した例について示したが、上框２４の溝部２４ａには、弾性変形可能な弾性部材であれば、たとえばゴムなどを配設してもよい。
【００７０】
上記実施形態においては、開口に設けられ開閉自在な障子を枠体に回動自在に取り付けられるドアとしたが、障子は枠体に沿ってスライドする引き戸や、蝶番等で折り畳めるように構成された折戸であっても構わない。
【図面の簡単な説明】
【００７１】
【図１】本実施形態に係る建具を示す浴室側から見た正面図である。
【図２】図１のＡ−Ａ断面図である。
【図３】図１のＢ−Ｂ断面図である。
【図４】図１のＣ−Ｃ断面図である。
【図５】図１のＤ−Ｄ断面図である。
【図６】上框、左縦框、右縦框、面材、上側の位置決め部材の取り合い部分を示す図である。
【図７】浴室ドアの縦断面形状を示す図である。
【図８】上側の位置決め部材を示す斜視図である。
【図９】下側の位置決め部材を説明するための斜視図である。
【図１０】浴室ドアの組立方法の概要を説明するための図である。
【図１１】上側の位置決め部材の変形例を示す斜視図である。
【符号の説明】
【００７２】
１  建具、１０  枠体、２０  浴室ドア、２１  面材、２１ａ  上縁部、
２１ｂ  下縁部、２１ｃ  左縁部、２１ｄ  右縁部、２２  左縦框（縦框）、
２２ａ  溝部、２３  右縦框（縦框）、２３ａ  溝部、２４  上框、２４ａ  溝部、
２４ｂ  嵌合領域、２５  換気口ユニット、２６  中桟、２６ａ  溝部、
２６ｅ  嵌合領域、２７  下框、２７ｄ  嵌合領域、３０  位置決め部材、
３１  上側左位置決め部材、３１ａ  上框嵌合部位、３１ｂ  縦框嵌合部位、
３１ｅ  傾斜部、３２  面材保持部、３３  上側右位置決め部材、
３３ａ  上框嵌合部位、３３ｂ  縦框嵌合部位、３３ｅ  傾斜部、
３４  下側左位置決め部材、３４ａ  中桟嵌合部位、３４ｂ  縦框嵌合部位、
３５  下側右位置決め部材、３５ａ  上框嵌合部位、３５ｂ  縦框嵌合部位、
３６  面材保持部、５４  スポンジ、５５  換気口、５６  接着剤、８０  ねじ
【図１】
2008280801.tif 000003
【図２】
2008280801.tif 000004
【図３】
2008280801.tif 000005
【図４】
2008280801.tif 000006
【図５】
2008280801.tif 000007
【図６】
2008280801.tif 000008
【図７】
2008280801.tif 000009
【図８】
2008280801.tif 000010
【図９】
2008280801.tif 000011
【図１０】
2008280801.tif 000012
【図１１】
2008280801.tif 000013